(57)【要約】【課題】配線作業性を良好にすることができ、かつ、ドア開閉時の不具合も発生することのない配線装置、および配線構造の提供を目的とする。【解決手段】板厚中央部に回転中心が配置されるドア１を囲むドア枠２の吊元側縦枠３に固定され、前記ドア１への配線４をドア枠２内から引き出す配線装置であって、  前記縦枠３への固定状態において、閉扉状態のドア端面５に面する正対面部６の戸当たり側辺縁で、ドア１の回転軌跡との非干渉領域に通線空間７を区画し、該通線空間７の終端にドア１への配線４の引き出し部８を形成する。【選択図】  図１
2014009444.tif 000002
【特許請求の範囲】
【請求項１】
板厚中央部に回転中心が配置されるドアを囲むドア枠の吊元側縦枠に固定され、前記ドアへの配線をドア枠内から引き出す配線装置であって、
前記縦枠への固定状態において、閉扉状態のドア端面に面する正対面部の戸当たり側辺縁で、ドアの回転軌跡との非干渉領域に通線空間を区画し、該通線空間の終端にドアへの配線の引き出し部を形成する配線装置。
【請求項２】
前記縦枠の正対面部と、正対面部から突出する戸当たり片に両側縁が固定され、前記正対面部と戸当たり片との隅角部に高さ方向所定長の通線空間を区画する請求項１記載の配線装置。
【請求項３】
高さ方向中心線に対して線対称形状に形成され、天地反転姿勢において左右勝手違い縦枠に使用可能な請求項１または２記載の配線装置。
【請求項４】
前記通線空間の上端部に着脱自在に装着されて、通線空間の上端を閉塞するキャップ部材を備える請求項１、２または３記載の配線装置。
【請求項５】
ピボットヒンジを介してドアを保持するドア枠とドアとの間を配線する配線構造であって、
ドア枠内の配線は、ドア枠の吊元側縦枠のドアの吊元側端面への正対面部上で、戸当たりとの境界部に配置した引き出し部から引き出されてドアの吊元側端面からドア内に引き込まれる配線構造。
【発明の詳細な説明】
【技術分野】
【０００１】
本発明は、配線装置、および配線構造に関するものである。
【背景技術】
【０００２】
ドア周囲に配置されるドア枠内の配線をドア内に引き込む配線構造としては、特許文献１、２に記載のものが知られている。
【０００３】
特許文献１に記載の従来例は、ドア枠、ドア間の配線をドアを回転自在に支持するピボットヒンジの内部を挿通させるもので、ピボットヒンジ内を挿通させるための作業が大変で施工効率を低下させる原因となる上に、配線に不具合があった場合のメンテナンスが面倒という問題がある。
【０００４】
これに対し、特許文献２記載のものは、ドアの吊り元側端面と、ドア枠の縦枠の該ドア端面に正対する位置に各々配線引き出し口を配置するもので、特許文献１記載の従来例における欠点はないものの、ドアの板厚中央部を回転自在に支持するピボットヒンジを使用したドアへの通線構造に利用した場合には以下の問題がある。
【０００５】
すなわち、ドア枠の縦枠の中心部から配線を引き出してドアの端面中心部に引き入れた場合、ドアを直角に開いた状態でドア枠、ドア間の配線は、ドアの戸当たり対応面に対向する表面板部、および該表面板部とドアの端面との稜線を経由してドアの端面中心部に至るために、ドアを閉じる際には、配線がドアとドア枠との間に巻き込まれ、断線等の不具合が発生する虞がある。
【先行技術文献】
【特許文献】
【０００６】
【特許文献１】特開平５-３００８２９号公報
【特許文献２】特開２０００-７３６７５号公報
【発明の概要】
【発明が解決しようとする課題】
【０００７】
本発明は、以上の欠点を解消すべくなされたものであって、配線作業性を良好にすることができ、かつ、ドア開閉時の不具合も発生することのない配線装置、および配線構造の提供を目的とする。
【課題を解決するための手段】
【０００８】
本発明によれば上記目的は、
板厚中央部に回転中心が配置されるドア１を囲むドア枠２の吊元側縦枠３に固定され、前記ドア１への配線４をドア枠２内から引き出す配線装置であって、
前記縦枠３への固定状態において、閉扉状態のドア端面５に面する正対面部６の戸当たり側辺縁で、ドア１の回転軌跡との非干渉領域に通線空間７を区画し、該通線空間７の終端にドア１への配線４の引き出し部８を形成する配線装置を提供することにより達成される。
【０００９】
ドア枠２は、ドア１の吊り元側端面５と戸先側端面に対応する縦枠３、３’を備えており、ドア枠２とドア１との間の配線４は、吊り元側の縦枠３から引き出されてドア１の吊り元側端面５に引き込まれる。
【００１０】
吊元側の縦枠３のドア端面５に正対する正対面部６上の戸当たり側端縁部に通線空間７を区画し、その開放端からドア１への配線４を引き出す本発明において、配線装置を固定した後、縦枠３に開設した引き出し開口３ａから配線４を配線装置の引き出し部８に導いた後、ドア１内に引き込むだけで配線作業を完了させることができるために、ピボットヒンジ１１の中心に配線４を挿通させるような作業が不要となり、配線作業性が良好になる。
【００１１】
また、配線４は縦枠３の正対面部６上に画成される通線空間７内を引き出し部８まで導かれるために、外部に配線４が露出することがなく、美観を損なうことがない。
【００１２】
さらに、ドア枠２側からドア１へ向かう配線４の起点となる配線４の引き出し部８は縦枠３の戸当たり側辺縁に位置しているために、図５に示すように、ドア１を直角姿勢まで開いた状態でもドア枠２とドア１間の配線経路がドア１の戸当たり側の隅角部に隣接する隅角部１ａを横断することがないために、ドア１を閉塞する際に配線４が巻き込まれることがなく、断線等の虞を確実に防ぐことができる。
【００１３】
配線装置は、予め中空状の通線空間７が形成されたものであっても、あるいは、例えば、断面コ字形状に形成され、縦枠３のドア端面５に対する正対面部６上に固定された状態で通線空間７を区画するものであってもよいが、縦枠３に戸当たり片９が設けられ場合には、正対面部６と縦枠３片と協働して通線空間７を区画するように構成することができる。
【００１４】
この場合、配線装置は、
前記縦枠３の正対面部６と、正対面部６から突出する戸当たり片９に両側縁が固定され、前記正対面部６と戸当たり片９との隅角部に高さ方向所定長の通線空間７を区画するように構成することができる。
【００１５】
また、
高さ方向中心線に対して線対称形状に形成され、天地反転姿勢において左右勝手違い縦枠３に使用可能な配線装置を構成すると、扉の左右勝手違いに対して同一の配線装置を使用することが可能になる。
【００１６】
通線空間７は天板部により上端を閉塞して通線空間７内への塵埃等の侵入を防止することができるが、この場合、
前記通線空間７の上端部に着脱自在に装着されて、通線空間７の上端を閉塞するキャップ部材１０を備える配線装置を構成することができる。
【００１７】
また、ドア１とドア枠２との間の配線構造は、
ピボットヒンジ１１を介してドア１を保持するドア枠２とドア１との間を配線する配線構造であって、
ドア枠２内の配線４は、ドア枠２の吊元側縦枠３のドア１の吊元側端面への正対面部６上で、戸当たりとの境界部に配置した引き出し部８から引き出されてドア１の吊元側端面からドア１内に引き込まれるように構成することができる。
【発明の効果】
【００１８】
本発明によれば、配線作業性を良好にすることができ、かつ、ドア開閉時の不具合発生も防止できる。
【図面の簡単な説明】
【００１９】
【図１】本発明が適用されたドアを示す図で、（ａ）は正面図、（ｂ）は（ａ）の１Ｂ-１Ｂ線断面図である。
【図２】本体部を示す図で、（ａ）は正面図、（ｂ）は（ａ）の２Ｂ方向矢視図、（ｃ）は（ｂ）の２Ｃ方向矢視図、（ｄ）は縦枠への固定状態を示す断面図、（ｅ）は勝手違いの縦枠に固定した状態を示す断面図である。
【図３】キャップ部材を示す図で、（ａ）は正面図、（ｂ）は（ａ）の３Ｂ-３Ｂ線断面図、（ｃ）は（ｂ）を３Ｃ方向から見た斜視図、（ｄ）は（ｂ）を３Ｄ方向から見た斜視図である。
【図４】配線装置を示す図で、（ａ）は正面図、（ｂ）は（ａ）の４Ｂ-４Ｂ線断面図である。
【図５】開扉状態を示す断面図である。
【図６】ドア側配線具を示す図で、（ａ）は斜視図、（ｂ）は反対方向から見た斜視図である。
【図７】配線構造を示す図で、（ａ）は側面図、（ｂ）は斜視図、（ｃ）は反対方向から見た斜視図である。
【発明を実施するための形態】
【００２０】
図１に本発明が適用されたドア１を示す。ドア１は、吊元側をピボットヒンジ１１により支持されてドア枠２内に保持され、図１（ｂ）に示す閉扉姿勢と、図５に示す直角位置、あるいはこれからやや開放側に開いた開扉姿勢との間で回転する。
【００２１】
ドア１には電気錠等の電子部品１２が配置されており、室内適宜位置等、ドア１外に配置される図外のコントローラに接続されて電子部品１２への給電、あるいはコントローラとの制御信号の伝送が行われる。
【００２２】
コントローラ等と電子部品１２とを接続する配線４は、ドア１の吊元側の端面５とこれに対応するドア枠２の縦枠３間を通過し、ドア枠２からのドア１への配線４の引き出しのために、縦枠３に配線装置が装着される。
【００２３】
本例の縦枠３は、上記ドア１の端面５に正対する正対面部６の一端縁部からドア１側に向けて戸当たり片９を突設させたアルミニウム等の押出形材で、戸当たり片９の先端部には、ドア１が閉じられた際にドア１の面板に当接する戸当たりパッキン１３を装着するための嵌合凹溝９ａが設けられる。
【００２４】
配線装置は、図４に示すように、本体部１４と、この本体部１４に着脱自在に連結されるキャップ部材１０とから構成される。
【００２５】
図２（ａ）から（ｃ）に示すように、本体部１４は、遮蔽壁１４ａの両側縁から一対の固定片（正対面部対応片１５ａと戸当たり対応片１５ｂ）を突出させて形成され、正対面部対応片１５ａには縦枠３にねじ込まれる止着子１６が挿通するビス挿通孔１５ｃが開設されるとともに、戸当たり対応片１５ｂの辺縁は折り返されて、戸当たり片９に形成される係止条９ｂに係止可能な係止片１５ｄが形成される。
【００２６】
また、戸当たり対応片１５ｂと正対面部対応片１５ａの各々には、上下端を折り返してキャップ挿入孔１５ｅが形成されるとともに、中間部にキャップ嵌合開口１５ｆが開設される。
【００２７】
したがって本例において、本体部１４は、図２（ａ）に示すように、縦枠３に開設された引き出し開口３ａの直下位置に固定され、固定作業は、図２（ｄ）において鎖線で示すように、係止片１５ｄを縦枠３の係止条９ｄに係止させて係止箇所周りに回転させた後、正対面部対応片１５ａをネジ止めして行うことができる。
【００２８】
図２（ｄ）において実線で示すように、縦枠３への固定状態で、正対面部６と戸当たり片９との境界部には、該正対面部６、戸当たり片９、および遮蔽壁１４ａとにより囲まれた三角形状の通線空間７が画成される。この通線空間７は、図１、図５に示すように、ドア１がピボットヒンジ１１周りに回転した際のドア１の回転領域に干渉しない領域に配置される。
【００２９】
さらに、ビス挿通孔１５ｃは、高さ方向中心線に対して線対称位置に形成されており、図２（ｅ）に示すように、天地を反転するだけで左右勝手違いのドア枠２に使用することができる。また、本体部１４のキャップ挿入孔１５ｅ、およびキャップ嵌合開口１５ｆも高さ方向中心線に対して線対称位置に形成されており、天地反転させた状態においても、後述するキャップ部材１０を上端部に装着できるようにされる。
【００３０】
一方、キャップ部材１０は、上記本体部１４に連結されて通線空間７の上端開口を閉塞し、通線空間７内への塵埃等の侵入を防止するために設けられ、図３に示すように、通線空間７の上端開口を閉塞するための天板部１０ａから下方に向けてカバー部１０ｂと、挿入片１０ｃと、連結脚１０ｄとを突設して形成される。挿入片１０ｃと連結脚１０ｄとは本体部１４の正対面部対応片１５ａ、および戸当たり対応片１５ｂに対応して各々一対設けられ、各連結脚１０ｄには、中間部にビス挿通孔１０ｅが、下端に係止突部１０ｆが設けられる。
【００３１】
以上のキャップ部材１０の本体部１４への装着は連結脚１０ｄを本体部１４に沿わせた状態で挿入片１０ｃをキャップ挿入孔１５ｅに挿入して行われる。挿入片１０ｃの挿入によって係止突部１０ｆは本体部１４の各対応片１５ａ、１５ｂに当接して連結脚１０ｄに僅かな弾性変形を生じさせており、この状態から挿入片１０ｃがさらに挿入されて係止突部１０ｆがキャップ嵌合開口１５ｅに達すると、連結脚１０ｄの変形を解消しながら係止突部１０ｆがキャップ嵌合開口１５ｅに嵌合し、以後、キャップ部材１０の離脱が防止される。
【００３２】
この状態で連結脚１０ｄのビス挿通孔１０ｅは本体部１４のビス挿通孔１５ｃに合致しており、これらビス挿通孔１０ｄ、１５ｃに止着子１６を挿通させて縦枠３にねじ込むと、キャップ部材１０は本体部１４とともに縦枠３に共締めされる。
【００３３】
以上のように構成される配線装置から引き出された配線４をドア１内に引き込むために、ドア１にはドア側配線具１７が固定される。図６に示すように、ドア側配線具１７は、固定片１７ａから後方にケース部１７ｂを設けて形成され、固定片１７ａにおいてドア１の吊元側端面５にネジ止めされ、ネジ止めされた状態でケース部１７ｂがドア１内に収容される。
【００３４】
ドア１、ドア枠２間の配線４は、図７に示すように、両端にコネクタ１８を装着し、ドア１内の配線４’、およびドア枠２内の配線４’にプラグイン接続される中継配線４を介して行われる。中継配線４は両端部を除いてほぼ全長にわたってケーブル保護体１９により覆われており、擦過等による断線が防止される。
【００３５】
本例において、ケーブル保護体１９はスプリングにより形成されており、ドア側配線具１７にはスプリング１９を係止、保持するための凹部１７ｃが形成される。中継配線４は、ドア枠２の引き出し開口３ａから引き出された後、配線装置により形成される通線空間７内に引き込まれ、さらに引き出し部８から引き出された後、ドア側配線具１７を経由してドア１内部に引き込まれる。
【符号の説明】
【００３６】
１        ドア
２        ドア枠
３        吊元側縦枠
４        配線
５        ドア端面
６        正対面部
７        通線空間
８        引き出し部
９        戸当たり片
１０      キャップ部材
１１      ピボットヒンジ
【図１】
2014009444.tif 000003
【図２】
2014009444.tif 000004
【図３】
2014009444.tif 000005
【図４】
2014009444.tif 000006
【図５】
2014009444.tif 000007
【図６】
2014009444.tif 000008
【図７】
2014009444.tif 000009